(57)【要約】【課題】椅子の背もたれに関し、簡単な構造で高いクッション性・フィット性を実現する。【解決手段】背もたれ５は合成樹脂製の背板８を有している。背板８は左右のサイドメンバー１９とこれを繋ぐ多数の横長サポート板２２とを有する。横長サポート板２２の左右両端寄り部位には、変形容易化バッファ部として巾狭部２７が形成されている。横長サポート板２２の変形容易化バッファ部としては、左右付け根部にサイドメンバー１９から前向き突出した膨らみ部を形成することも可能である。変形容易化バッファ部は左右方向き広がりを持っている。変形容易化バッファ部が容易に変形することで高いクッション性とフィット性とを確保できる。また、応力集中がないため耐久性も高い。【選択図】図６
2014042855.tif 000002
【特許請求の範囲】
【請求項１】
着座者の体圧を受けるサポート体を有しており、前記サポート体は、当該サポート体の左右両側部を構成すべく上下方向に長く延びる左右のサイドメンバーと、前記左右のサイドメンバーの間に多段に配置された多数の横長サポート板とを備えており、前記サポート体は合成樹脂の一体成形品であって左右サイドメンバーと横長サポート板群とは一連に繋がっている、という背もたれ又は座であって、
前記横長サポート板の群のうち少なくとも一部の左右付け根寄り部位に、当該横長サポート板が着座者の体圧で後退動するように撓み変形することを容易ならしめる変形容易化バッファ部が、着座者の体圧によって平面視で湾曲した状態に曲がり変形するように、横長サポート板の付け根箇所から内側に延びるように左右方向の広がりを持った状態に形成されている、
椅子の背もたれ又は座。
【請求項２】
前記横長サポート板の左右付け根の近くに、当該横長サポート板の上下巾寸法を他の部位よりも実質的に狭くした巾狭部が形成されており、この巾狭部を前記変形容易化バッファ部と成している、
請求項１又は２に記載した椅子の背もたれ。
【請求項３】
前記横長サポート板の付け根近傍部には、横向きＬ形で上向きに開口した上スリットと横向きＬ形で上向きに開口した下スリットと形成しており、前記上下スリットによって巾狭部を形成しており、かつ、前記スリットで囲われた部分は横長リップになっており、上下に隣り合った横長サポート板の横長リップをジョイントで連結している、
請求項２に記載した椅子の背もたれ。
【請求項４】
前記横長サポート板の上端縁又は下端縁若しくは上下両端縁には、後ろ向きに突出すると共に左右方向に延びる横長リブが形成されており、前記横長リブの後ろ向き突出寸法を横長サポート板の付け根箇所近傍において低くすることによって前記変形容易化バッファ部と成している、
請求項１〜３のうちのいずれかに記載した椅子の背もたれ。
【請求項５】
前記横長サポート板の付け根寄り部は、平面視前向き凸状に湾曲した状態でサイドメンバーの手前に張り出した膨らみ部になっており、この膨らみ部を前記変形容易化バッファ部と成している、
請求項１〜４のうちのいずれかに記載した椅子の背もたれ。
【発明の詳細な説明】
【技術分野】
【０００１】
本願発明は、椅子の背もたれ又は（或いは及び）座に関する。より正確には、合成樹脂製のサポート体（背板又は座板）を有する背もたれ又は座に関するものである。
【背景技術】
【０００２】
椅子の背もたれや座の構造は千差万別であるが、例えば事務用に多用される回転椅子の場合は、合成樹脂製のインナーシェル（背板、座板）を使用し、その前面にクッション材を張っていることが多い。そして、クッション性とフィット性とを高めるための手段として、インナーシェル等のサポート体を着座者の体圧で容易に変形する構造と成すことが提案され、或いは実施されている。
【０００３】
例えば本願出願人の出願に係る特許文献１には、インナーシェルに多数のスリットの群を形成して伸び変形を容易ならしめることが開示されており、また、同じく本願出願人の出願にかかる特許文献２には、座や背もたれの外周部を構成するフレームに網状に交叉した条体の群を一体成形して、条体の伸び変形によってサポート部を大きく沈み込み変形させることが開示されている。
【先行技術文献】
【特許文献】
【０００４】
【特許文献１】特開２０００−９３２５０号公報
【特許文献２】特開２００５−１６０５５８号公報
【発明の概要】
【発明が解決しようとする課題】
【０００５】
さて、椅子の背もたれにおいて、インナーシェルに左右横長のスリットを多段に形成して、横長サポート板が多段に配置された形態と成したものがある。このタイプのものは通気性に優れているのみならず、そのままの形態を視認できても違和感はないため、例えばメッシュ材（ネット材）を張るタイプにも適用できるという利点がある。
【０００６】
しかし、従来は、各横長サポート板は単純な帯板形状で平面視で後ろ向き凹状に緩く湾曲した形態に過ぎないため、着座者の体圧によって後ろ向きに大きく後退するような状態に弾性変形することは期待できず、このため高いクッション性・フィット性を確保することは難しかった。この点については、各横長サポート板の付け根に薄肉のヒンジ部を形成することが考えられるが、このヒンジ方式は、ロッキングに伴う荷重がヒンジ部に集中して耐久性が低くなるのみならず、横長サポート板はヒンジの箇所で急激に曲がるため、横長サポート板が人の身体に倣わなずにフィット性に劣るという問題が懸念される。
【０００７】
本願発明はこのような現状に鑑み成されたものであり、横長サポート板の群から成るサポート体を有する背もたれ又は座において、高いクッション性・フィット性を確保せんとするものである。
【課題を解決するための手段】
【０００８】
請求項１の発明は背もたれ又は座を対象にしたもので、この発明に係る背もたれ又は座は、着座者の体圧を受けるサポート体を有しており、前記サポート体は、当該サポート体の左右両側部を構成すべく上下方向に長く延びる左右のサイドメンバーと、前記左右のサイドメンバーの間に多段に配置された多数の横長サポート板とを備えており、前記サポート体は合成樹脂の一体成形品であって左右サイドメンバーと横長サポート板群とは一連に
繋がっている、という基本構成になっている。
【０００９】
そして、この基本構成において、前記横長サポート板の群のうち少なくとも一部の左右付け根寄り部位に、当該横長サポート板が着座者の体圧で後退動するように撓み変形することを容易ならしめる変形容易化バッファ部が、着座者の体圧によって平面視で湾曲した状態に曲がり変形するように、横長サポート板の付け根箇所から内側に延びるように左右方向の広がりを持った状態に形成されている。
【００１０】
請求項２の発明は請求項１の発明を背もたれに具体化したもので、請求項１において、前記横長サポート板の左右付け根の近くに、当該横長サポート板の上下巾寸法を他の部位よりも実質的に狭くした巾狭部が形成されており、この巾狭部を前記変形容易化バッファ部と成している。
【００１１】
請求項３の発明は請求項２の発明を具体化したもので、前記横長サポート板の付け根近傍部には、横向きＬ形で上向きに開口した上スリットと横向きＬ形で上向きに開口した下スリットと形成しており、前記上下スリットによって巾狭部を形成しており、かつ、前記スリットで囲われた部分は横長リップになっており、上下に隣り合った横長サポート板の横長リップをジョイントで連結している。
【００１２】
請求項４の発明は請求項１〜３の下位概念を構成するもので、前記横長サポート板の上端縁又は下端縁若しくは上下両端縁には、後ろ向きに突出すると共に左右方向に延びる横長リブが形成されており、前記横長リブの後ろ向き突出寸法を横長サポート板の付け根箇所近傍において低くすることによって前記変形容易化バッファ部と成している。
【００１３】
請求項５の請求項１〜４を具体化したもので、前記横長サポート板の付け根寄り部は、平面視前向き凸状に湾曲した状態でサイドメンバーの手前に張り出した膨らみ部になっており、この膨らみ部を前記変形容易化バッファ部と成している。なお、請求項２〜５は背もたれに具体化しているが、ここに記載した特定事項は座にも適用することできる（請求項４を座に適用する場合は、横長リブは横長サポート板の下面に設けることになる。）。
【発明の効果】
【００１４】
請求項１の発明では、横長サポート板の左右付け根寄り部位（左右両端寄り部位）に変形容易化バッファ部を形成したことにより、横長サポート板は着座者の体圧で撓み変形しやすくなっており、このため高いクッション性を確保することができる。そして、本願発明の変形容易化バッファ部は左右方向の広がりを持っているため、応力集中を防止して高い耐久性を確保できると共に、なだらかな曲がりによってフィット性も向上できる。結局、本願発明によると、クッション性とフィット性とに優れた座又は背もたれを耐久性を確保した状態で提供できると言える。
【００１５】
変形容易化バッファ部は請求項２〜５のように様々に具体化できる（これは単独でも良いが、併用するのが好ましい。）。そして、請求項２のように巾狭部を採用すると、曲げ強度を低くすることがより確実ならしめられる利点がある。また、上下に隣り合った横長サポート板はロッキング時に過度に離反しないようにジョイントで繋いでおくのが好ましいが、請求項３のように横長リップ同士をジイョイントで繋ぐと、横長リップが撓み変形することで上下の横長サポート板の間隔が広がることを許容できるため、各横長サポート板の撓み変形の自由性を確保しつつ、上下に隣り合った横長サポート板の間隔が過度に広がるを防止できる利点がある。
【００１６】
さて、人の身体を後ろから的確に支えるには、横長サポート板はある程度の形状保持性を有するのが好ましい。つまり、着座者の腰部や背中の背面をできるだけ均等に支えるの
が好ましい。換言すると、横長サポート板にできるだけ等しい体圧が作用するように配慮するのが好ましい。この点、請求項４のように横長サポート板に横長リブを形成すると、横長サポート板に適度の剛性を保持させることができるため、クッション性・フィット性と身体安定性とをバランスさせてより快適な凭れ心地を得ることができる。リブは飛び飛びに形成しても良い。
【００１７】
請求項５のように変形容易化バッファ部として膨らみ部を採用すると、膨らみ部が後ろに倒れるように曲がり変形することにより、横長サポート板は全体として後ろに移動する傾向を呈するため、クッション性とフィット性とが一層優れていると言える。
【図面の簡単な説明】
【００１８】
【図１】第１実施形態に係る椅子の外観図で、（Ａ）は正面図、（Ｂ）は側面図である。
【図２】椅子の斜視図である。
【図３】（Ａ）はロッキングの動きを示す側面図、（Ｂ）は背もたれの分離側面図である。
【図４】椅子を後ろから見た斜視図である。
【図５】分離斜視図であり、（Ａ）は前から見た図、（Ｂ）は後ろから見た図である。
【図６】（Ａ）は背板８の一部破断正面図、（Ｂ）は（Ａ）の部分拡大図である。
【図７】背板８の一部破断背面図である。
【図８】平面図である。
【図９】背もたれの破断斜視図である。
【図１０】（Ａ）は背板８の下部の斜視図、（Ｂ）は図７の XB-XB視断面図、（Ｃ）は背板８の下部の部分的な平断面図、（Ｄ）は図７の XD-XD視断面図である。
【図１１】背板８を裏返してバックフレームと並べた部分斜視図である。
【図１２】図１１の部分拡大図である。
【図１３】図１１の部分拡大図である。
【図１４】ロッキング機構を示す分離斜視図である。
【図１５】他の実施形態を示す図である。
【発明を実施するための形態】
【００１９】
次に、本願発明の実施形態を図面に基づいて説明する。本願発明は事務用に多様されている回転椅子に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００２０】
(1).椅子の概略
図１，２に示すように、椅子は、脚支柱（ガスシリンダ）１のみを表示した脚装置、脚支柱１の状態に固定したベース３、ベース３の上方に配置した座４、座４の後ろに配置された背もたれ５を有している。ベース３にはオプション品としての肘掛け装置６を取り付けることができる。図１，２では肘掛け装置６は片方しか表示していないが、左右一対取り付けられる。脚装置は、例えば中心筒から５本の枝杆が放射状に延びているキャスタ付きものなど、各種のものを使用できる。
【００２１】
背もたれ５は、ベース３に後傾動可能に連結されたバックフレーム７と、バックフレーム７の前面に取り付けた背板８（インナーシェル）８とを強度メンバーとしており、背板８８の前面にクッション体９を張っている（図１（Ｂ）や図２ではクッション体９は表示していない。）。クッション体９の前面はクロス等の表皮材１０で覆われているが、図９
や図１０（Ｂ）に示すように、表皮材１０は袋状に構成されており、クッション体９と背板８８とを袋状の表皮材１０で覆っている。従って、背板８８はその全体が露出しておらず、人が外から視認することはできない。
【００２２】
構造を明示するため、図面の多くでクッション体９と表皮材１０とを省略している。背板８８をメッシュ製の袋のみで覆ってこれをバックフレーム７に取り付けたり、クッション体９やメッシュ材を取り付けずに背板８８をむき出しにして、背板８８で身体を直接に支持することも可能である。更に、透けて見えるメッシュ製等の化粧シートを背板８の前面のみに張って、背板８の背面は露出させることも可能である。この場合は、背板８の形態が前からも透けて見える。
【００２３】
本実施形態の椅子は背もたれ５が後傾するロッキングタイプであり、図３に一点鎖線で示すように、着座者が背もたれ５に凭れ掛かると座４は若干の寸法だけ持ち上げられつつ後退する。つまり、着座者の体重が背もたれ５の後傾動に対する抵抗として作用するのであり、座４が着座者の体重によって元に戻ろうすると力と着座者が上半身を後ろに反らせることによるモーメントとがバランスして、ロッキング状態を得ることができる。
【００２４】
ベース３の内部にはロッキングに対して抵抗を付与する弾性体が内蔵されており、従って、正確に述べると、ロッキングは弾性体の弾性復元力と着座者の荷重とに抗して行われる。着座者の体重の一部が背もたれ５を戻すように作用するため、ロッキングに使用する弾性体は弾性復元力が弱くても足りる。ロッキング機構については後述することと、先に背もたれ５を説明する。
【００２５】
(2).バックフレームの基本構造
図５や図１４に示すように、バックフレーム７は、その左右側部を構成する上下長手の左右サイドフレーム１２と、左右サイドフレーム１２の上端に繋がった横長のアッパーフレーム１３と、左右サイドフレーム１２の下端に繋がった左右長手のロアフレーム１４とを有しており、全体として略四角形で前後に開口した枠状にになっている。更に、左右サイドフレーム１２の下端にはベース３の左右外面に向けて前向きに延びるサイドアーム１５が一体に形成されており、左右のサイドアーム１５には正面視門型のフロント部材１６が一体に繋がっている。
【００２６】
バックフレーム７はポリプロピレンのような合成樹脂を材料にした成形品を使用しているが、アルミダイキャスト品を採用することも可能である。また、例えばサイドアーム１５を別部材にするなど、複数の部材で構成することも可能である。例えば図８に明示するように、バックフレーム７のアッパーフレーム１３はその左右側部だけに背板８８が取り付くように平面視で大きく前向き開口した状態に形成されている。換言すると、バックフレーム７のアッパーフレーム１３と背板８８との間に横長の穴が空いている。このため、人はバックフレーム７のアッパーフレーム１３に掴むことができるのみならず、背板８８の上端部が弾性変形することも可能になっている。
【００２７】
図１（Ｂ）や図３（Ａ）に明瞭に表示されているように、バックフレーム７のサイドフレーム１２は、着座者の腰よりやや高い位置の部分が最も前となるように側面視で前向き突形に屈曲している。換言するとバックフレーム７のサイドフレーム１２は側面視でくの字形に屈曲しており、このためサイドフレーム１２は頂点部１７を有している。背板８８はバックフレーム７の頂点部１７よりも下方の部位ではバックフレーム７に取り付いておらず片持ち梁の状態になっている。或いは、背板８８のうちバックフレーム７の頂点部１７よりも下方の部位はオーバーハングしている。
【００２８】
また、バックフレーム７のサイドフレーム１２は、着座者が凭れ掛かっていないニュー
トラル状態で頂点部１７よりも上の部分は後傾姿勢になって、頂点部１７より下方の部分は前傾姿勢になっている。頂点部１７より上方の部分が鉛直線に対して後傾した角度よりも、頂点部１７より下方の部分が鉛直線に対して前傾した角度がやや大きくなっている。アッパーフレーム１３とロアフレーム１４とは平面視で前向き凹状に緩く湾曲している。
【００２９】
(3).背板８の基本構造
背板８８はポリプロピレンのような合成樹脂製を材料にした成形品であり、上下長手の左右のサイドメンバー１９と、サイドメンバー１９の上端間に一体に繋がったアッパーメンバー２０と、左右サイドメンバー１９の下端に一体に繋がったロアメンバー２１とで略四角形の外形を構成し、更に、その内部には、左右サイドメンバー１９に繋がった横長サポート板２２が多段に配置されている。例えば図１０（Ｄ）に明示するように、サイドメンバー１９の前面は、横長サポート板２２が取り付いている内側部から外側に行くに従って後ろにずれるような湾曲面になっている。
【００３０】
例えば図６や図１０（Ｄ）に示すよう、上下に隣り合った横長サポート板２２の間、及び、最上段の横長サポート板２２とアッパーメンバー２０との間、並びに最下段の横長サポート板２２とロアメンバー２１との間にはそれぞれ横長の空間２３が空いている。各横長サポート板２２は基本的には横長等巾の帯板の外観を呈しており、広幅面が前後に向いている。
【００３１】
例えば図１０（Ｄ）に示すように、横長サポート板２２における付け根の裏面には平面視で湾曲した隅肉２２が形成されている。これにより、横長サポート板２２の付け根に応力が集中することが防止されると共に、横長サポート板２２がその付け根寄りのある程度の範囲で撓み変形することが許容されている。
【００３２】
例えば図１（Ｂ）や図３（Ａ）を例示して述べたように、背板８８はバックフレーム７の頂点部１７よりも下方の部位ではバックフレーム７に対して片持ち梁の状態になっているが、換言すると、背板８８はバックフレーム７の頂点部１７より下方の部分はオーバーハング部８ａになっているが、背板８８は、バックフレーム７の頂点部１７よりも僅かに下の部分が最も前となるように側面視で前向き突形に曲がっている。つまり、背板８８は着座者の腰の部分を的確に支えるランバーサポート部８ｂを有しており、しかも、ランバーサポート部８ｂはオーバーハング部８ａに設けているため、背板８８はランバーサポート部８ｂが後ろに移動する状態に弾性変形し得る。
【００３３】
図８及び図１０に示すように、背板８８の前面は前向き凹状にごく緩い曲率で凹んでおり（湾曲しており）、その凹みの程度はランバーサポート部８ｂにおいて最も大きく、最上段の横長サポート板２２の箇所では平坦に近い状態になっている。これは、主として、身体を包むような外観となすことで人に好ましい印象を与えるという視覚的な効果を狙ったものであるが、人の腰の部分は平面視で丸みを持っていて背中は平坦に近い状態になっているという身体的特性に対応しているという側面もある。各横長サポート板２２を平面視で直線状の形態に成すことも可能である。
【００３４】
各横長サポート板２２は帯板の外観を呈しているが、例えば図６に示すように、上下に隣り合った横長サポート板２２の左右付け根寄り部位は空間２３を上下に横切るジョイント２４で連結されている。更に、上下に隣り合ったジョイント２４は左右に交互に位置ずれて配置されており、かつ、各横長サポート板２２にはジョイント２４を上下から挟むような状態で、略Ｌ形の内向きスリット２５と外向きスリット２６とを形成している。内向きスリット２５は背板８８の縦長中心線に向かって内側に延びており、外向きスリット２６は背もたれ５の外側縁に向けて外側に延びている。
【００３５】
上下に隣り合ったジョイント２４は交互に左右にずれているが、背板８８の縦長中心線に寄るようにずれたジョイント２４の箇所には上下の内向きスリット２５が形成されて、背板８８の外側縁に寄るようにずれたジョイント２４の箇所には上下の外向きスリット２６が形成されており、従って、１本の横長サポート板２２には、内向きスリット２５と外向きスリット２６とが一対ずつ形成されており、その結果、各横長サポート板２２の左右付け根寄り部位には、サイドメンバー１９から横向き突出してのち僅かの寸法だけ段上がり又は段落ちしそれから再び横方向に向かう姿勢の段違い状の巾狭部２７が形成されている。
【００３６】
また、内向きスリット２５と外向きスリット２６とは、それぞれ請求項に記載した上スリット及び下スリットと同義であり、これらスリット２５，２６が横長サポート板２２の上端面又は下端面に開放されていことにより、巾狭部２７の箇所には横長リップ２４′が形成されており、上下に隣り合った横長リップ２４′がジョイント２４で繋がれている。
【００３７】
この巾狭部２７は請求項に記載した変形容易化バッファ部の一例であり、他の部位よりも狭であるため、着座によって曲がり変形しやすくなっている。横長サポート板２２は基本的には左右全長にわたって等巾の外観を呈しているが、スリット２５，２６の箇所では着座者の体圧を受けるのは実質的には巾狭部２７の箇所てあり、従って、横長サポート板２２は巾狭部２７の箇所で実質的に狭くなっんいるに等しい。請求項ではこのような意味で「実質的に」という文言を使用しているのである。
【００３８】
例えば図１０（Ｂ）、（Ｃ）では、変形容易化バッファ部の他の例として横長サポート板２２に付け根近傍に膨らみ部２２ａを形成した状態を表示している。すなわち、膨らみ部２２ａはサイドメンバー１９の前面よりも若干の寸法Ｅだけ手前に突出するように平面視で前向き突に湾曲しており、左右膨らみ部２２ａの間の部分は前向き凹状に緩く湾曲している。ロッキングに際して膨らみ部２２ａが平面視で曲がり変形することにより、横長サポート板２２はその全体が後ろに大きく移動するような状態に容易に弾性変形することになり、これによって高いクッション性とフィット性とが確保される。
【００３９】
本実施形態では、多数の横長サポート板２２の全てに膨らみ部２２ａを設けててはおらず、ランバーサポート部８ｂに位置した横長サポート板２２を中心にした数本に設けており、かつ、膨らみ部２２ａの突出寸法Ｅはランバーサポート部８ｂの箇所においても元も高く、ランバーサポート部８ｂから上下に遠ざかるに従って徐々に低くなるように設定している。つまり、横長サポート板２２はランバーサポート部８ｂの箇所のものが最も変形しやくすく、ランバーサポート部８ｂから離れるに従って変形しやすさの度合いが低くなっている。敢えて述べるまでもていが、全ての横長サポート板２２に膨らみ部２２ａを設けることは可能である。
【００４０】
図１０（Ｂ）〜（Ｄ）に明示するように、各横長サポート板２２の上端縁には、変形容易化バッファ部の一つの具体例として、後ろ向きに突出する横長リブ２８を一体に形成している。リブは横長サポート板２２の全長にわたって延びるように形成している（言うまでもないが、スリット２５，２６の箇所では分断されている。）。また、横長リブ２８は横長サポート板２２の付け根箇所では高さが低くなって、内側に行くに従って徐々に高さが高くなるように設定している。このように横長リブ２８がその左右端部において低くなっていることにより、横長サポート板２２はその左右両端寄りのある程度の範囲において撓み変形し易くなっている。                                            
【００４１】
更に述べると、着座者の体圧は横長サポート板２２に対してモーメントとして作用し、そのモーメントは横長サポート板２２の左右端部に行くほど強くなるが、隅肉２２′があることで横長サポート板２２の付け根の強度が確保されていること、横長リブ２８が両端
に行くほど低くなっていること、横長サポート板２２の左右両端寄り部位に巾狭部２７が形成されていることとの相乗効果として、横長サポート板２２は着座者の荷重によってはおおよそ巾狭部２７を中心として部分が大きく撓み変形し、これにより、高いクッション性とフィット性戸を確保できるのである。巾狭部２７は横長スリットを形成することによって実現できる。
【００４２】
以上の説明から理解できるように、横長サポート板２２はその左右両端寄りのある程度の範囲が集中的に変形するようになっており、このため、ロッキングに際して横長サポート板２２は、着座者の腰や背中を後ろから広い面積でサポートしながら後ろに後退するような変形の挙動を採ることになる。その結果、身体の支持安定性とフィット性とをバランスさせながら高いクッション性を確保することができる。また、応力集中はないため耐久性も高い。
【００４３】
敢えて述べるまでもないが、各横長サポート板２２において横長リブ２８の高さや厚さを変えることで剛性や変形容易性とを調節することができる。横長リブ２８は横長サポート板２２の上下両端縁に形成しても良いし、或いは、横長サポート板２２の上端縁と下端縁との間の部位に形成することも可能である。
【００４４】
(4).背板とバックフレームとの連結構造
図１１〜１３に示すように、バックフレーム７におけるサイドフレーム１２のうち背板８８が重なる部分（後傾部）は前向きに開口した溝形になっている。また、バックフレーム７におけるアッパーフレーム１３のうち背板８８のアッパーメンバー２０と重なる部分も前向き開口の溝形になっている。他方、背板８８の各メンバー１９，２０，２１は後ろ向きに開口した溝形になっており、図１０（Ｂ）に示すように、背板８８のサイドメンバー１９とバックフレーム７とは重合部において互いに重なりあっている。
【００４５】
この場合、背板８８のサイドメンバー１９とバックフレーム７のサイドフレーム１２との重合面に互いに噛み合う段部３０を形成することにより、位置決めと左右方向のずれ防止とを図っている。更に述べると、ロッキングに際して背板８８のサイドメンバー１９は左右内側に移動するような外力を受けるので、段部３０は、バックフレーム７のサイドフレーム１２で述べると左右外向きに形成しており、これにより、ロッキングに際して背板８８のサイドメンバー１９が左右内側にずれることを防止している。表皮材１０は背板８８とバックフレーム７との間に挟み込まれている。
【００４６】
図１１〜１３に示すように、背板８８におけるサイドメンバー１９の溝内には、上下長手で板状の雄形規制体３１が上下離れて３個形成されている。他方、バックフレーム７のサイドフレーム１２には、前記背板８８の規制体３１が嵌まる雌形規制体３２が３対形成されている。これら規制体３１，３２が嵌まり合うことにより、背板８８はバックフレーム７に対して左右ずれ不能に保持されている。
【００４７】
更に、背板８８におけるサイドメンバー１９の溝内には、側面視で下向き鉤形の第１係合爪３３が上下に離反して２個形成されている一方、バックフレーム７のサイドフレーム１２には、係合爪３３と噛み合う上向き鉤形の第２係合爪３４が上下に離反して２個形成されている。これら係合爪３３，３４の噛み合いうにより、背板８８はバックフレーム７に対して前向き移動不能に保持されている。
【００４８】
更に、図１１及び図１３に示すように、背板８８におけるアッパーメンバー２０の左右両端部に側面視下向き鉤形の第３係合爪３５を形成している一方、バックフレーム７におけるアッパーメンバー２０の内側片３６には、前記第３係合爪３５が嵌まる係合穴３７を形成している。
【００４９】
図１３に示すように、バックフレーム７におけるアッパーメンバー２０の作用両側部には、内向き（横向き）に開口した袋状のナット保持部３９が形成されている。このナット保持部３９にはナットが回転不能に嵌まるようになっており、ナットにバックフレーム７の後ろからビス（図示せず）がねじ込まれる。ビスでヘッドレスト（図示せず）が固定される。
【００５０】
ナット保持部３９に空けた前向き開口の穴４０から突出する。他方、背板８８のアッパーメンバー２０のうち第３係合爪３５の左右内側には、ビスに下方から当たることで背板８８を上向き移動不能に保持する上ストッパー４１が形成されている。
【００５１】
上ストッパー４１は互いに逆方向に延びる下水平壁及び上水平壁とこれらを繋ぐ垂直壁とを有しており、これがバックフレーム１７の空所にきっちりと嵌まり込むことにより、背板８を上下左右にガタ付きのない状態に保持すると共に、ロッキング等に際して第３係合爪３５が変形することを防止してその離脱を阻止している。
【００５２】
例えば図１０（Ｂ）に示すように、背板８８のサイドメンバー１９とバックフレーム７のサイドフレーム１２とには、前後位置を規制するための補助ストッパー４２が上下適宜間隔で複数個ずつ設けている。また、図１２の下部に示すように、バックフレーム７におけるサイドフレーム１２の頂点部１７とこれに対応した背板８８のサイドメンバー１９とには、背板８８を前向き移動不能に保持する平面視鉤形の下部係合爪３８ａ，３８ｂの対を形成している。
【００５３】
背板８８の取り付けは次の手順で行う。すなわち、まず、背板８を上から下に移動させて下部係合爪３８ａ，３８ｂを噛み合わせ、それから背板８を少し持ち上げ気味にして第１係合爪３３と第２係合爪３４とを噛み合わせ、そして、最後に、第３係合爪３５を係合穴３７に嵌め込むのである。これにより、背板８はバックフレーム７に対して上下左右及び前後にずれ不能に保持される。
【００５４】
表皮材１０のうち背板８とバックフレーム１７とで挟まれた部位には補強板材（図示せず）か固定されており、この補強板材が係合爪３３，３４に被嵌している。
【００５５】
(5).ロッキング機構
次に、図１４に基づいてロッキング機構を簡単に説明しておく。座４は合成樹脂製のインナーシェル（図示せず）の上面にクッション材を張った構造であり、インナーシェルは樹脂製の中間部材４３に前後位置調節可能に取り付けられている。
【００５６】
中間部材４３は、フロントリンク４４とリアリンク４５とを介してベース３に連結されている。フロントリンク４４はブロック状の外観を呈しており、その下部はベース３の前部に取り付けた左右長手の第１軸４６に上方から嵌まっており、その上部に形成した軸部４７には中間部材４３に形成したフロント軸受け部４８が嵌まっている。
【００５７】
リアリンク４５は金属板製であり、正面視では左右側板を有する下向き開口コの字形になっている。かつ、リアリンク４５の左右両端部には側板から延長した前向きの軸受け部４５ａを有している。リアリンク４５はベース３に左右横長の第２軸４９で回動可能に連結されている。リアリンク４５はベルクランクと同様の機能を有している。リアリンク４５における軸受け部４５ａの前端（先端）には第３軸５０が挿通しており、この第３軸５０に中間部材４３のリア軸受け部５１が嵌まっている。
【００５８】
バックフレーム７におけるサイドアーム１５の前端には第２軸４９に後ろから嵌まる軸
受け穴（図示せず）が形成されており、サイドアーム１５が第２軸４９に嵌まった状態で、サイドアーム１５に一体形成したフロント部材１６がリアリンク４５にねじで固定されている。従って，バックフレーム７はリアリンク４５と一体に回動する。リアリンク４５の後端部でかつ下端部には左右長手の支軸５２が嵌まっており、バックフレーム７のサイドアーム１５は支軸５２で支持されている。
【００５９】
ベース３の後部には、リアリンク４５の下面に固定されたロッキングユニット５３が配置されている。ロッキングユニット５３は弾性体（例えばゴム）に当たるようになっており、バックフレーム７は弾性体の弾性に抗して後傾動する。また、ロアリンク４５には操作ユニット５４が固定されており、操作ユニット５４に設けたレバー５５を回動することにより、ロッキングの強弱調節やロッキング・ロック切り換えが行われる。
【００６０】
フロントリンク４４は側面視で上が前となるように鉛直姿勢に対して前傾しており、また、第３軸５０は第２軸４９よりも手前に位置している。従って、フロントリンク４４とリアリンク４５とは平行リンク機構に似たリンク機構を構成していると共に、着座者の荷重は両リンク４４，４５を前傾姿勢と成すように作用している。そして、着座者が背もたれ５に凭れ掛かると、背もたれ５に大きなモーメントがかかるため両リンク４４，４５が回動し、すると座４は持ち上げられると共に後退動する。従って、着座者の荷重（体重の一部）が背もたれ５を戻すように作用する。換言すると、着座者の体重の一部は弾性体と同様の作用を果たす。
【００６１】
そして、着座者の体重の一部がロッキングに際して背もたれ５を元に戻そうと作用するが、その力は着座者の体重に比例するため、ロッキングに際しての抵抗は着座者の体重に感応してバランスしている。このため、体重の違い（或いは体格の違い）に関係なく等しいロッキングの硬さを提供できる。
【００６２】
すなわち、例えばコイルスプリングのみをロッキングの抵抗にしている椅子では、着座者の体重が重いとばねを柔らかく感じ、着座者の体重が軽いとばねを硬く感じるというようにばねの硬さに対する感じ方が相違しており、そこで、つまみを回転する等してばねの初期弾性力を調節しているが、本実施形態では、自分の体重がロッキングに対する抵抗として作用するため、体重が相違する人に対して同じようなロッキングのフィーリングを提供できるのである。更に述べると、ロッキングに際しての背もたれ５の後傾モーメントは体重に比例して大きくなるが、座４が下降しようすることによる抵抗も体重に比例しているため、結果として、体重が異なる人に同じようなロッキングのフィーリングを提供できるのである。
【００６３】
(6).他の実施形態・参考例
図１５では他の実施形態を示している。このうち（Ａ）に示す第２実施形態では、上下に隣り合った横長サポート板２２がその左右両側部において小判形５７で連結されている。この場合、変形容易化バッファ部として横長サポート板２２の付け根部近傍に膨らみ部２２ａを形成しているが、巾狭部等の他の構成を付加しても良い。
【００６４】
（Ｂ）に示すのは参考例であり、この参考例では、横長サポート板２２の変形容易化バッファ部として上下スリット５８を形成し、横長サポート板２２がその長手方向に伸び変形することを許容している。（Ｃ）に示す第３実施形態は、巾狭部の別例である。（Ｄ）に示す第４実施形態では、横長サポート板２２の全体をサイドメンバー１９の手前に張り出した膨らみ部と成している。
【００６５】
(7).その他
本願発明は上記の各実施形態の他にも様々に具体化できる。例えば背板８とバックフレ
ームとを一体化した構造とすることも可能であるし、アッパーメンバーやロアメンバーを備えない構造とすることも可能である。また、本願発明の適用対象は回転椅子には限らず、会議用に多用されているパイプ椅子の固定式椅子などにも適用できる。
【産業上の利用可能性】
【００６６】
本願発明は椅子に適用して有用性を発揮する。よって、産業上利用できる。
【符号の説明】
【００６７】
３  ベース
４  座
５  背もたれ
７  バックフレーム
８  背板８
９  クッション体
１２  バックフレームのサイドフレーム
１３  バックフレームのアッパーフレーム
１５  バックフレームのサイドアーム
１７  バックフレームの頂点部
１９  背板８のサイドメンバー
２０  背板８のアッパーメンバー
２２  背板８の横長サポート板
２２ａ  変形容易化バッファ部としての膨らみ部
２４  ジョイント
２５，２６  スリット
２７  変形容易化バッファ部の一例としての巾狭部
２８  リブ
【図１】
2014042855.tif 000003
【図２】
2014042855.tif 000004
【図３】
2014042855.tif 000005
【図４】
2014042855.tif 000006
【図５】
2014042855.tif 000007
【図６】
2014042855.tif 000008
【図７】
2014042855.tif 000009
【図８】
2014042855.tif 000010
【図９】
2014042855.tif 000011
【図１０】
2014042855.tif 000012
【図１１】
2014042855.tif 000013
【図１２】
2014042855.tif 000014
【図１３】
2014042855.tif 000015
【図１４】
2014042855.tif 000016
【図１５】
2014042855.tif 000017